(57)【要約】【課題】使用するメディアの状態（ディスク挿入等）を検出することにより自動的にカレントを切り換えて所定の動作（再生開始等）を行なう。【解決手段】記録媒体としてハードディスクや光ディスクを備える装置のカレントドライブ切り換え（ＳＴ９０３）および／または記録媒体に関連した所定の動作（ＳＴ９０４）を、装置に装填されたメディアの種別（追記可能か否か等）に応じて（ＳＴ９０２）、装着メディアに対応して行なう。【選択図】      図９
2006323895.tif 000002
【特許請求の範囲】
【請求項１】
記録メディアが固定されあるいは着脱可能な第１のドライブおよび記録メディアが着脱可能な第２のドライブを有する装置で用いられる方法であって、現在アクセス対象となっているものをカレントとしたときに前記第１または第２のドライブがカレントとなるように構成されたものにおいて、
前記第１のドライブがカレントであるときに前記第２のドライブに追記不可能なメディアが装填されたときは、自動的に前記第２のドライブをカレントに切り換えて、装填された前記追記不可能なメディアの再生を開始する方法。
【請求項２】
記録メディアが固定されあるいは着脱可能な第１のドライブおよび記録メディアが着脱可能な第２のドライブを有する装置で用いられる方法であって、現在アクセス対象となっているものをカレントとしたときに前記第１または第２のドライブがカレントとなるように構成されたものにおいて、
前記第２のドライブがカレントとなるような切り換え操作がなされた際に、この第２のドライブに追記不可能なメディアが既に装填されていたならば、その追記不可能なメディアの記録状態に対応したトップメニューを表示し、
前記第２のドライブがカレントとなるような切り換え操作がなされた際に、この第２のドライブに追記可能なメディアが既に装填されていたならば、その追記可能なメディアに書き込み済みのコンテンツ一覧を表示する方法。
【請求項３】
記録メディアが固定されあるいは着脱可能な第１のドライブおよび記録メディアが着脱可能な第２のドライブを有する装置で用いられる方法であって、現在アクセス対象となっているものをカレントとしたときに前記第１または第２のドライブがカレントとなるように構成されたものにおいて、
前記第２のドライブがメニュー操作対象となるような切り換え操作がなされた際に、この第２のドライブに追記不可能なメディアが既に装填されていたならば、その追記不可能なメディアの記録状態に対応したメニューを表示し、
前記第２のドライブがメニュー操作対象となるような切り換え操作がなされた際に、この第２のドライブに追記可能なメディアが既に装填されていたならば、その追記可能なメディアを用いて行う装置機能一覧を表示する方法。
【請求項４】
請求項３に記載の方法において、前記装置機能一覧が、以下の機能項目のうちの少なくとも１つを含む：
前記第２のドライブに装填された前記追記可能なメディアに録画するコンテンツを電子番組表から捜す機能項目と、
前記第２のドライブに装填された前記追記可能なメディアに録画予約する機能項目と、
前記第２のドライブに装填された前記追記可能なメディアに対して録画予約済みの番組の一覧を表示する機能項目と、
前記第２のドライブに装填された前記追記可能なメディアに対して録画済みの番組を編集する機能項目と、
前記第２のドライブに装填された前記追記可能なメディアを用いてダビング処理を行なう機能項目と、
前記第２のドライブに装填された前記追記可能なメディアを初期化する機能項目。
【請求項５】
請求項１ないし請求項４のいずれか１項に記載の方法を用いる装置であって、前記第１および第２のドライブのうちの少なくとも１つを用いて記録または再生を行なうように構成された記録再生装置。
【発明の詳細な説明】
【技術分野】
【０００１】
この発明は、メディアの種別に応じた再生方法と再生装置に関する。
【背景技術】
【０００２】
デジタルバーサタイルディスク（ＤＶＤ）の録画フォーマットには、セル販売されるＤＶＤソフトなどで使用されているＤＶＤビデオフォーマットと、ＤＶＤレコーダで使用され編集処理が可能なＤＶＤ−ＶＲフォーマットがある。多くのＤＶＤレコーダでは、記録媒体（メディア）として、光ディスク（ＤＶＤ−ＲＡＭ、ＤＶＤ−ＲＷ等）の他にハードディスク（ＨＤＤ）が併用されている。この種のＤＶＤ／ＨＤＤハイブリッドレコーダでは、これらの種々な記録媒体を適宜使い分けて、記録および／または再生を行えるようになっている（特許文献１参照）。
【特許文献１】特開２００５−８６７１７号公報（段落０００３−０００９、図４）
【発明の開示】
【発明が解決しようとする課題】
【０００３】
特許文献１では、その背景技術のなかで、追記不可能メディアであるＤＶＤビデオディスクと追記可能メディアであるＤＶＤ−ＲＡＭやＤＶＤ−ＲＷなどの記録媒体のメニュー表示動作に触れている。ＤＶＤビデオ再生装置は、再生可能な複数の項目から所望の項目を選択することができるメニュー画面の情報がＤＶＤビデオディスクに記録されていれば、ファイル構造情報に予め指定された再生手順に従って再生を開始し、メニュー画面を表示してＤＶＤビデオディスクの再生を一時的に停止する。また、ユーザがタイトルやチャプタの中の任意の画像をサムネイル画像に指定することができ、ＤＶＤ−ＲＡＭやＤＶＤ−ＲＷなどの記録媒体にリアルタイムでコンテンツ情報を記録するＤＶＤ−ＶＲ規格では、再生時にはメニュー画面にタイトルやチャプタのサムネイル画像が表示される。
【０００４】
このように記録媒体を再生するビデオ再生装置では、記録媒体を再生するとき、自動又は手動によりメニュー画面を表示しているが、前記のように追記不可能メディアと追記可能メディアではメニュー画面が違っている。しかしながら、記録媒体としてハードディスク（ＨＤＤ）と光ディスク（ＤＶＤ−ＲＡＭ等）を備える記録再生装置（ＤＶＤ／ＨＤＤハイブリッドレコーダ）では、カレント（現在アクセス対象となっているデバイス）がＨＤＤドライブの場合、光ディスクをディスクドライブに装填してもそれだけではカレントが切り替わらない。そのため、光ディスクを再生したいときは、まず、カレントドライブを切り換える操作が必要となる。また、メニュー画面を表示させるにあたり、追記可能メディアと追記不可能メディアで操作が異なるという問題もある。
【０００５】
この発明の課題の１つは、使用するメディアの状態（ディスク挿入等）を検出することにより自動的にカレントを切り換えて所定の動作（再生開始、メニュー画面の表示等）を行なうようにすることである。
【課題を解決するための手段】
【０００６】
この発明の一実施の形態に係るメディアの種別に応じた再生方法では、記録媒体としてハードディスクや光ディスクを備える装置のカレントドライブ切り換えや記録媒体に関連した所定の動作（再生開始、メニュー画面の表示等）を、装置に装着（set）、装填（loaded）、または挿入（inserted）されたメディアの種別（追記可能か否か等）に応じて、装着メディアに対応して行なう。
【発明の効果】
【０００７】
この発明の実施により、ユーザの操作負担を軽減し、わかりやすい記録再生装置（例えばＤＶＤ／ＨＤＤハイブリッドレコーダ）を得ることができる。
【発明を実施するための最良の形態】
【０００８】
以下、図面を参照してこの発明の実施の形態を説明する。図１は、この発明を適用した映像録画装置（ＤＶＤ／ＨＤＤハイブリッドレコーダ）の実施の一形態を示す図である。この実施の形態では、記録媒体としてＤＶＤ−ＲＡＭ／ＲＷ／Ｒなどの光ディスクとハードディスクの双方を取り扱うことができる装置（ＨＤＤ付ＤＶＤ−ＶＲレコーダ）として示しているが、記録媒体として半導体メモリ等を適宜併用してもよい。図１において、各ブロックを大きく分けると、左側には記録部の主なブロックを示し、右側には再生部の主なブロックを示している。
【０００９】
図１の映像録画装置は、２種類のディスクドライブ部を有する。まず、ビデオファイルを構築できる情報記録媒体である第１のメディアとしての光ディスク（ＤＶＤ−ＲＡＭ、ＤＶＤ±ＲＷ、ＤＶＤ±Ｒなど）１００１を回転駆動し、情報の読み書きを実行するディスクドライブ部１００２を有する。また、第２のメディアとしてのハードディスク（ＨＤＤ）を駆動するハードディスクドライブ部２００１を有する。データプロセッサ部１００３は、ディスクドライブ部１００２及びハードディスクドライブ部２００１に記録データを供給することができ、また、再生された信号を受け取ることができる。ディスクドライブ部１００２は、光ディスク１００１に対する回転制御系、レーザ駆動系（波長が６５０ｎｍの赤色レーザ、あるいは４０５ｎｍもしくはそれ以下の青色レーザを用いる）、光学系などを有する。データプロセッサ部１００３は、記録または再生単位のデータを取り扱うもので、バッファ回路、変調・復調回路、エラー訂正部などを含む。
【００１０】
また図１の映像録画装置は、録画側を構成するエンコーダ部５０と、再生側を構成するデコーダ部６０と、装置本体の動作を制御するマイクロコンピュータブロック３０とを主たる構成要素としている。エンコーダ部５０は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。エンコーダ部５０の出力は、バッファメモリを含むフォーマッタ５１にて所定のフォーマット（ＤＶＤ−ＲＡＭフォーマット等）に変換され、先のデータプロセッサ部１００３に供給される。エンコーダ部５０には、ＡＶ入力部４１からの外部アナログビデオ信号と外部アナログオーディオ信号、あるいはＴＶチューナ部４２からのアナログビデオ信号とアナログオーディオ信号が入力される。
【００１１】
なお、エンコーダ部５０は、直接圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。エンコーダ部５０に含まれるビデオエンコーダでは、デジタルビデオ信号はＭＰＥＧ２（またはＭＰＥＧ１もしくはＭＰＥＧ４−ＡＶＣ）規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００１２】
副映像信号がＡＶ入力部４１から入力された場合（例えば副映像信号の独立出力端子付ＤＶＤビデオプレーヤからの信号など）、あるいはこのようなデータ構成のＤＶＤビデオ信号が放送されてそれがＴＶチューナ部４２で受信された場合は、ＤＶＤビデオ信号中の副映像信号が副映像エンコーダでエンコード（ランレングス符号化）されて副映像のビットマップとなる。エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤビデオフォーマット）や、ＤＶＤ-レコーディング規格で規定されたフォーマット（ＤＶＤ−ＶＲフォーマット）に変換される。
【００１３】
ここで図１の装置は、フォーマッタ５１でフォーマット化された情報（ビデオ、オーディオ、副映像データなどのパック）及び作成された管理情報を、データプロセッサ部１００３を介してハードディスクドライブ部２００１あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。またハードディスクあるいは光ディスク１００１に記録されている複数番組のビデオオブジェクトを、一部削除したり、分割したり、異なる番組のオブジェクトを繋げたり、といった編集処理を行うこともできる。これは、この発明の一実施の形態で利用するＤＶＤ−ＶＲフォーマットが、取り扱うデータ単位を定義し、編集を容易にしているからである。
【００１４】
マイクロコンピュータブロック３０は、ＭＰＵ（マイクロプロセッシングユニット）、またはＣＰＵ（セントラルプロセッシングユニット）と、制御プログラム等（ファームウエア等）が書きこまれたファームウエアＲＯＭと、プログラム実行に必要なワークエリアを提供するためのワークＲＡＭなどを含んでいる。マイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定、履歴情報検索処理などを実行する。
【００１５】
すなわち、マイクロコンピュータブロック３０は、システム全体を制御するために必要な情報処理部を有するもので、ファームウエアＲＯＭ３１ａ、ワークＲＡＭ３１、ディレクトリ検出部３２のほか、図示しないがＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。さらに、マイクロコンピュータブロック３０は、ＤＶＤ−Ｒディスクに対してＶＲ記録等を行なう際の区画（Rzone）の処理を行なう処理部３６と、履歴情報検索を行なう処理部３５と、録画を実行する際の管理情報の制御部３４と、編集を実行する際の管理情報の制御部３３と、記録可能光ディスク（ＤＶＤ−Ｒ／＋Ｒ、ＤＶＤ−ＲＷ／＋ＲＷなど）の初期化（フォーマッティング）処理部３８、記録可能光ディスクのファイナライズ処理部３９などを備える。なお、部分使用済みディスクを初期化状態に戻す処理等はその他の処理部３７で処理される。
【００１６】
ＭＰＵの実行結果のうち、ユーザに通知すべき内容は、映像データ記録再生装置の表示部４３に表示されるか、またはモニタディスプレイ７５にＯＳＤ（オンスクリーンディスプレイ）表示される。またマイクロコンピュータブロック３０は、この装置を操作するための操作信号を与えるキー入力部４４を有する。このキー入力部４４は、例えば映像録画装置の本体上に設けた操作スイッチ類、あるいはリモコン４４ａ装置などに相当する。また、入力部４４は、この発明の一実施の形態に係る映像録画装置と有線通信あるいは無線通信あるいは光通信や赤外線通信などの手段を用いて接続されたパーソナルコンピューターであってもよい。いずれの形態であるにせよ、ユーザがこのキー入力部４４を操作することにより、入力された映像音声信号の録画処理や、録画されたコンテンツの再生処理、あるいは録画されたコンテンツに対する編集処理などを施すことができる。
【００１７】
なお、マイクロコンピュータブロック３０が、ディスクドライブ部１００２、ハードディスクドライブ部２００１、データプロセッサ部１００３、エンコーダ部５０および／またはデコーダ部６０などを制御するタイミングは、ＳＴＣ（システムタイムクロック）３８からの時間データに基づいて実行することができる。録画や再生の動作は、通常はＳＴＣ３８からのタイムクロックに同期して実行されるが、それ以外の処理はＳＴＣ３８とは独立したタイミングで実行されてもよい。
【００１８】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするVデコーダと、セパレータで分離された副映像データ（副映像パックの内容）をデコードするＳＰデコーダと、セパレータで分離されたオーディオデータ（オーディオパックの内容）をデコードするAデコーダとを有する。またデコードされた主映像にデコードされた副映像を適宜合成し、主映像にメニュー、ハイライトボタン、字幕やその他の副映像を重ねて出力するビデオプロセッサを備えている。
【００１９】
デコーダ部６０の出力ビデオ信号は、ビデオミキシング部７１に入力される。ビデオミキシング部７１では、テキストデータの合成が行われる。またビデオミキシング部７１には、ＴＶチューナ４２やＡ／Ｖ入力部４１からの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００２０】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナ４２やＡ／Ｖ入力部４１からのデジタル信号を直接モニタする時、エンコーダ部５０をスルーした信号を直接選択することも可能である。
【００２１】
なお、エンコーダ部５０のフォーマッタ５１では、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのＩピクチャのエンドアドレス、ＶＯＢＵの再生時間などである。同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００２２】
また図１の装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００２３】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部２００１に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３を介してディスクに設定している。
【００２４】
以下、図を参照してこの発明の実施の形態の動作を説明する。以下の説明においては、この発明の一実施の形態に係る映像録画装置は、次のような構成を取るものとしている。すなわち、この映像録画装置は、ＤＶＤ録画規格（ＤＶＤ−ＶＲ規格）に基づいたＤＶＤ録画装置である。この場合、ＤＶＤディスク（通常はＤＶＤ−ＲＡＭディスクまたはＤＶＤ−ＲＷディスクであるが、ＤＶＤ−Ｒへのビデオレコーディングも可能）上にはＤＶＤ−ＶＲフォーマットと呼ばれるデータフォーマットで録画される。加えて、この映像録画装置は、ＤＶＤビデオ規格（ＤＶＤビデオ規格）に基づいてＤＶＤディスクへ録画する機能も有するものとする。この場合は、ＤＶＤディスク（ＤＶＤ−Ｒディスク等）上にはＤＶＤビデオフォーマットと呼ばれるデータフォーマットで録画される。
【００２５】
この発明の一実施の形態に係る映像録画装置では、書換え可能なＤＶＤ−ＲＡＭディスクやＤＶＤ−ＲＷディスクだけでなく、ライトワンスメディアであるＤＶＤ−Ｒディスクも使用できる。これらＤＶＤディスクに対して録画を実施する際のフォーマットは、ＤＶＤディスクの種類毎に一意に固定されるものではなく、例えばＤＶＤ−Ｒに対して、ＤＶＤ−ＶＲフォーマットまたはＤＶＤビデオフォーマットのいずれのフォーマットによっても録画が実施できるものとする。
【００２６】
また、以下の説明においては、この発明の一実施の形態に係る映像録画装置は、先に説明した図１のブロック図で示されるような、ＤＶＤとＨＤＤの２つの録画メディアを有するハイブリッド録画機であるとし、ＤＶＤとＨＤＤ相互間での映像情報のダビング（あるいはムーブ）が可能であるとする。ただし、この発明の実施の形態の内容は、ＨＤＤとＤＶＤドライブがそれぞれ１台のハイブリッド録画機だけに適用されるものではなく、複数台のＤＶＤディスクドライブ（あるいはリムーバブル記録メディアを扱う複数台の装置）を有した録画機（パーソナルコンピュータをソフトウエア等でレコーダとして機能させるものも含む）に対しても適用できる。
【００２７】
図２は、図１の装置（図２では１０２）に対して追記可能なメディアまたは追記不可能なメディアが装填されたときの表示例を説明する図である。また、図９は、メディア（光ディスク）装填時の処理の一例を説明するフローチャート図である。
【００２８】
例えばファイナライズ済みのＤＶＤ−ＲＷなどのメディア１００１が記録再生装置１０２内のディスクドライブ部１００２に装填される（ステップＳＴ９０１）。すると、記録再生装置１０２は、このメディア１００１が市販のＤＶＤビデオやファイナライズ済みのＤＶＤ−ＲＷ／Ｒのように追記（録画などの書き込み）できないメディア１００１Ｂであるかを判断する（ステップＳＴ９０２）。この場合は追記できないメディア１００１Ｂである（ステップＳＴ９０２ノー）。記録再生装置１０２がＨＤＤ付きＤＶＤレコーダなどのように複数種別のメディアに対応している場合、カレント装置が装填されたメディア側に切り換えられる（ステップＳＴ９０３）。すると、記録再生装置１０２は、カレントドライブとなったディスクドライブ部１００２に装填されているメディア１００１Ｂの再生を自動的に開始する（ステップＳＴ９０４）（図２の２０２参照）。一方、追記可能なメディア１００１Ａである場合（ステップＳＴ９０２イエス）は、このメディアが挿入されただけではカレントの自動切り換えはなされず、何もせずに次のユーザ操作を待つ状態へ移行する（図２の２０１参照）。
【００２９】
図３は、追記可能なメディアまたは追記不可能なメディアが装填されている図１の装置（図２では１０２）に対してリモコン４４ａでカレント切り換えが指示されたときの表示例を説明する図である。また、図５は追記可能メディアに対する書き込み済みコンテンツ一覧表示の一例を説明する図であり、図６は追記不可能メディアに対するトップメニュー表示の一例を説明する図である。さらに、図１０は、メディア（光ディスク）装填後にリモコン操作等に応じて行われる処理の一例を説明するフローチャート図である。
【００３０】
いま、記録再生装置１０２のカレント装置が、リモコン４４ａなどのキー入力受付（ステップＳＴ１００１）により切り換えられたとする（ステップＳＴ１００２）。具体的には、例えばＨＤＤ部２００１がカレントであるときにリモコン４４ａ上のＤＶＤ選択ボタン（図示せず）が押されたことにより、カレント装置がＨＤＤ部２００１からディスクドライブ部１００２に切り換わったとする。
【００３１】
記録再生装置１０２は、カレント装置が切り換わった時点でディスクドライブ部１００２に装填されているメディアが市販のＤＶＤビデオやファイナライズ済みＤＶＤ−ＲＷ／Ｒのように追記（録画などの書き込み）できないメディア１００１Ｂであるか否かを判断する（ステップＳＴ１００３）。カレント装置のメディアが追記できないメディア１００１Ｂである場合は（ステップＳＴ１００３ノー）、メディアに記録されたトップメニュー（ファイルシステムの管理階層上最上位にあるルートメニュー：具体例は図５）が映像装置（モニタ）７５上で自動的に表示される（ステップＳＴ１００４）（図３の６０１参照）。一方、カレント装置のメディアが追記できるメディア１００１Ａである場合は（ステップＳＴ１００３イエス）、書き込み済みコンテンツ一覧（具体例は図６）が映像装置（モニタ）７５上で自動的に表示される（ステップＳＴ１００５）（図３の５０１参照）。
【００３２】
図４は、追記可能なメディアまたは追記不可能なメディアが装填されている図１の装置（図２では１０２）に対してリモコンでメニュー操作が指示されたときの表示例を説明する図である。また、図７は追記可能メディアに対する操作一覧表示の一例を説明する図であり、図８は追記不可能メディアに対するメニュー表示の他例を説明する図。さらに、図１１は、メディア（光ディスク）装填後にリモコン操作等に応じて行われる処理の他例（図７のような操作一覧を自動的に表示する処理例）を説明するフローチャート図である。
【００３３】
いま、リモコン４４ａ上の操作一覧キー（図示せず）のオンにより、ディスクドライブ部１００２のディスクに対する操作一覧表示がユーザから要求されたとする。すると、このキー入力受付（ステップＳＴ１１０１）により、記録再生装置１０２のカレント装置がディスクドライブ部１００２に切り換わる（ステップＳＴ１１０２）。ここで、操作一覧とは、記録再生装置１０２のメニュー画面７０１（図７）に対応する。
【００３４】
記録再生装置１０２は、カレント装置が切り換わった時点でディスクドライブ部１００２に装填されているメディアが市販のＤＶＤビデオやファイナライズ済みＤＶＤ−ＲＷ／Ｒのように追記（録画などの書き込み）できないメディア１００１Ｂであるか否かを判断する（ステップＳＴ１１０３）。カレント装置のメディアが追記できないメディア１００１Ｂである場合は（ステップＳＴ１１０３ノー）、そのメディアに既に記録されたコンテンツに関するメニュー（図８：必ずしもトップメニューに限られない）が映像装置（モニタ）７５上で自動的に表示される（ステップＳＴ１１０４）（図４の８０１参照）。一方、カレント装置のメディアが追記できるメディア１００１Ａである場合は（ステップＳＴ１１０３イエス）、操作一覧（記録再生装置１０２のメニュー画面７０１：図７参照）が映像装置（モニタ）７５上で自動的に表示される（ステップＳＴ１１０５）（図４の７０１参照）。
【００３５】
以上述べた処理は、記録再生装置（ＤＶＤレコーダ）で使用可能な各種メディア（機器内蔵のＤＶＤディスクドライブやＨＤＤに限らず半導体メモリや外部接続された機器の録画メディアも含む）について対応することが可能である。
【００３６】
なお、この発明の実施において用いられる映像録画装置（または同等機能を持つパーソナルコンピュータ）は、ＨＤＤとＤＶＤドライブがそれぞれ１台の場合に限られない。例えば複数のＨＤＤおよび／または複数のＤＶＤディスクドライブを装備したハイブリッドレコーダにおいて、これらのＨＤＤとＤＶＤドライブとの間で任意にカレントドライブを切り換える場合にもこの発明を適用できる。
【００３７】
＜実施の形態による効果＞
（１）記録再生装置の操作は全般に複雑であるが、ＨＤＤ付きＤＶＤレコーダなどのように複数種別のメディアが取り扱われる場合、操作はより一層複雑になる。このような装置において、ディスクをドライブ装置に装填（挿入）するといった単純操作だけで、装填されたディスクの種別（追記可能なメディアか否か等）あるいはその状態（ファイナライズされているか否か等）に応じて、カレント装置（ＨＤＤやＤＶＤドライブ等）を自動的に切り換え、切り換えられたカレント装置内のメディアに応じたメニュー表示を自動的に行うことができる。
【００３８】
（２）記録再生装置のカレント装置以外（例えばカレントがＨＤＤならＤＶＤドライブ）に追記（録画等の書き込み）ができないメディアが挿入された場合、ユーザがカレント切り換え操作をしなくても、自動的にカレントがＤＶＤドライブに切り替わり挿入されたメディアの再生を開始できる（図９参照）。このようにカレント切り換えを伴う操作が自動化されたため、ユーザの操作が簡単になる。
【００３９】
（３）カレントに切り換えられたドライブに挿入されているメディアの種別に応じた動作を自動的に行う（図１０参照）ため、ユーザの操作が簡単になる。
【００４０】
（４）カレントの自動切り換え機能によりユーザによる操作が減ることから、リモコン等の操作キーの数を削減できる。そのため操作の簡単なリモコンを作成することができる。
【００４１】
なお、この発明は前述した実施の形態に限定されるものではなく、現在または将来の実施段階では、その時点で利用可能な技術に基づき、その要旨を逸脱しない範囲で種々に変形することが可能である。例えば、ＤＶＤドライブとＨＤＤを備えたパーソナルコンピュータにおいても、この発明を用いたソフトウエアをインストールすることにより、この発明を実施することができる。また、この発明の実施において利用可能な記録媒体は、レコーダ内蔵のＨＤＤや光ディスクに限らない。ＩＥＥＥ１３９４やＵＳＢ等のパソコンインターフェースを介して接続された外部機器の記憶装置も、この発明で扱う「カレントドライブ」の一部として利用できる。
【００４２】
また、各実施形態は可能な限り適宜組み合わせて実施してもよく、その場合組み合わせた効果が得られる。さらに、上記実施形態には種々の段階の発明が含まれており、開示される複数の構成要件における適当な組み合わせにより種々の発明が抽出され得る。例えば、実施形態に示される全構成要件からいくつかの構成要件が削除されても、この構成要件が削除された構成が発明として抽出され得る。
【図面の簡単な説明】
【００４３】
【図１】この発明の一実施の形態に係る映像録画装置の概要を説明するブロック図。
【図２】図１の装置に対して追記可能なメディアまたは追記不可能なメディアが装填されたときの表示例を説明する図。
【図３】追記可能なメディアまたは追記不可能なメディアが装填されている図１の装置に対してリモコンでカレント切り換えが指示されたときの表示例を説明する図。
【図４】追記可能なメディアまたは追記不可能なメディアが装填されている図１の装置に対してリモコンでメニュー操作が指示されたときの表示例を説明する図。
【図５】追記可能メディアに対する書き込み済みコンテンツ一覧表示の一例を説明する図。
【図６】追記不可能メディアに対するトップメニュー表示の一例を説明する図。
【図７】追記可能メディアに対する操作一覧表示の一例を説明する図。
【図８】追記不可能メディアに対するメニュー表示の他例を説明する図。
【図９】メディア（光ディスク）装填時の処理の一例を説明するフローチャート図。
【図１０】メディア（光ディスク）装填後にリモコン操作等に応じて行われる処理の一例を説明するフローチャート図。
【図１１】メディア（光ディスク）装填後にリモコン操作等に応じて行われる処理の他例を説明するフローチャート図。
【符号の説明】
【００４４】
３０…マイクロコンピュータブロック、３１…ワークＲＡＭ、３１ａ…ファームウエアＲＯＭ、３２…ディレクトリ検出部、３３…編集時の管理情報制御部、３４…録画時の管理情報制御部、３５…履歴情報検索処理部、３６…区画処理部、３８…初期化処理部、３９…ファイナライズ処理部、４１…ＡＶ入力部、４２…ＴＶチューナ、４３…表示部、４４…キー入力部、５０…エンコーダ部、５１…フォーマッタ、５２…バッファメモリ、６０…デコーダ部、１００１…光ディスク、１００２…ディスクドライブ部、１００３…データプロセッサ部、２００１…ハードディスクドライブ部。
【図１】
2006323895.tif 000003
【図２】
2006323895.tif 000004
【図３】
2006323895.tif 000005
【図４】
2006323895.tif 000006
【図５】
2006323895.tif 000007
【図６】
2006323895.tif 000008
【図７】
2006323895.tif 000009
【図８】
2006323895.tif 000010
【図９】
2006323895.tif 000011
【図１０】
2006323895.tif 000012
【図１１】
2006323895.tif 000013